(57)【特許請求の範囲】
【請求項１】
感光ドラムと、
現像ローラを有する現像カートリッジと、
前記現像カートリッジが画像形成装置から着脱可能な離脱位置と、前記現像ローラが前記感光ドラムに接触する接触位置との間の、前記現像カートリッジの移動を案内する第１現像ガイドと、
前記現像ローラが前記感光ドラムに向けて押圧されるように、前記現像カートリッジを押圧する現像押圧部材と、
前記現像カートリッジが前記現像押圧部材に押圧されるとともに、前記現像ローラが前記感光ドラムに接触する接触位置と、前記接触位置よりも下方である離間位置であって、前記現像押圧部材による前記現像カートリッジへの押圧が解除されるとともに、前記現像ローラが前記感光ドラムから離間する離間位置との間の、前記現像カートリッジの移動を案内する第２現像ガイドと
を備え、
前記第１現像ガイドは、
第１端から第２端まで上方に向かって延びる第１部分と、
前記第２端から第３端まで下方に向かって延びる第２部分と、
前記第３端から第４端まで下方に向かって、前記第２部分とは異なる方向かつ前記第２現像ガイドの延びる方向と同じ方向に延び、前記第２現像ガイドに接続される第３部分と
を備えていることを特徴とする、画像形成装置。
【請求項２】
前記第２現像ガイドは、前記画像形成装置に装着されている前記現像カートリッジの前記現像ローラの軸線と、前記感光ドラムの軸線とを結ぶ方向と平行な方向に延びていることを特徴とする、請求項１に記載の画像形成装置。
【請求項３】
前記第２部分は、前記第１部分および前記第３部分よりも、前記感光ドラムに近接していることを特徴とする、請求項１または２に記載の画像形成装置。
【請求項４】
前記第１部分の延びる方向と、前記第２部分の延びる方向とは、７０〜１１０°の角度をなすことを特徴とする、請求項１〜３のいずれか一項に記載の画像形成装置。
【請求項５】
前記第２部分の延びる方向と、前記第３部分の延びる方向とは、７０〜１１０°の角度をなすことを特徴とする、請求項１〜４のいずれか一項に記載の画像形成装置。
【請求項６】
前記感光ドラムを露光する露光ユニットをさらに備え、
前記第１現像ガイドおよび前記第２現像ガイドは、前記露光ユニットよりも下方に配置されていることを特徴とする、請求項１〜５のいずれか一項に記載の画像形成装置。
【請求項７】
前記現像カートリッジの通過を許容する第１開口を有する本体ケーシングと、
前記第１開口を閉鎖する第１閉鎖位置と、前記第１開口を開放する第１開放位置との間を移動可能な第１カバーと
を備えていることを特徴とする、請求項１〜６のいずれか一項に記載の画像形成装置。
【請求項８】
前記第１カバーの前記第１閉鎖位置から前記第１開放位置への移動に伴って、前記現像押圧部材を、前記現像押圧部材が前記現像カートリッジを押圧する押圧位置から、前記現像押圧部材の前記現像カートリッジへの押圧を解除する押圧解除位置へ移動させる押圧解除部材を備えていることを特徴とする、請求項７に記載の画像形成装置。
【請求項９】
画像形成が可能な画像形成位置と、前記画像形成が不能な画像形成解除位置との間で前記感光ドラムの移動を案内するドラムガイドを備えていることを特徴とする、請求項８に記載の画像形成装置。
【請求項１０】
前記第１カバーの前記第１閉鎖位置から前記第１開放位置への移動に伴って、前記感光ドラムを前記画像形成位置から前記画像形成解除位置に移動させるリンク部材を備えていることを特徴とする、請求項９に記載の画像形成装置。
【請求項１１】
前記リンク部材は、前記感光ドラムと係合する係合位置と、前記感光ドラムが延びる方向において前記係合位置よりも外方に位置し、前記感光ドラムとの係合が解除される係合解除位置とに移動可能に構成されていることを特徴とする、請求項１０に記載の画像形成装置。
【請求項１２】
前記第１カバーは、前記第１閉鎖位置と前記第１開放位置との間に位置する途中位置に移動可能であり、
前記押圧解除部材は、前記第１カバーの前記第１閉鎖位置から前記途中位置への移動に伴って、前記現像押圧部材を前記押圧位置から前記押圧解除位置に移動させ、
前記リンク部材は、前記第１カバーの前記途中位置から前記第１開放位置への移動に伴って、前記感光ドラムを前記画像形成位置から前記画像形成解除位置に移動させることを特徴とする、請求項１１に記載の画像形成装置。
【請求項１３】
前記感光ドラムを含むドラムカートリッジと、
前記ドラムカートリッジの通過を許容する第２開口とを有する本体ケーシングと、
前記第２開口を閉鎖する第２閉鎖位置と、前記第２開口を開放する第２開放位置との間を移動するように構成される第２カバーと
を備えていることを特徴とする、請求項１１または１２に記載の画像形成装置。
【請求項１４】
前記感光ドラムを露光する露光ユニットを備え、
前記ドラムガイドは、前記感光ドラムが前記画像形成位置から前記画像形成解除位置に向かう方向に沿って、前記露光ユニットの上方を通過し、前記第２開口に連続するように延びていることを特徴とする、請求項１３に記載の画像形成装置。
【請求項１５】
前記リンク部材を、前記係合位置から前記係合解除位置に向かって付勢する付勢部材を備えていることを特徴とする、請求項１４に記載の画像形成装置。
【請求項１６】
前記第２カバーは、前記第２開放位置に位置した状態において、前記付勢部材の前記リンク部材に対する付勢を許容し、前記第２閉鎖位置に位置した状態において、前記付勢部材の前記リンク部材に対する付勢を規制するカムを備えていることを特徴とする、請求項１５に記載の画像形成装置。
【請求項１７】
前記第１カバーが前記第１閉鎖位置に位置するときに、前記第２カバーを前記第２閉鎖位置に固定するロック位置と、前記第１カバーが前記第１閉鎖位置から前記第１開放位置に移動することにより、前記第２カバーの前記第２閉鎖位置への固定を解除するロック解除位置との間を移動するように構成されるロック機構を備えていることを特徴とする、請求項１３〜１６のいずれか一項に記載の画像形成装置。
【発明の詳細な説明】
【技術分野】
【０００１】
本発明は、電子写真方式が採用される画像形成装置に関する。
【背景技術】
【０００２】
従来より、感光ドラムを支持する装置本体に対して、現像ローラを備えるカートリッジを着脱可能な画像形成装置が知られている。
【０００３】
このようなカートリッジとして、現像ローラの軸線方向外方に突出する位置決めボスが装置本体内の受け溝部に案内されることにより、装置本体に装着されるカートリッジが知られている。
【０００４】
そして、このようなカートリッジでは、位置決めボスが、装置本体内の受け溝部に配置される弾性部材によって装着方向の下流側に向かって付勢され、現像ローラが、感光ドラムに対して当接されている（例えば、特許文献１参照）。
【先行技術文献】
【特許文献】
【０００５】
【特許文献１】特開２０１２−６８３７１号公報
【発明の概要】
【発明が解決しようとする課題】
【０００６】
しかるに、上記した特許文献１に記載の画像形成装置では、押圧部材が受け溝部の途中に配置されているために、押圧部材の付勢力が弱くなると、カートリッジの位置決めボスを十分に付勢できなくなり、カートリッジが受け溝部に沿って、脱落する場合がある。
【０００７】
そこで、本発明の目的は、現像カートリッジの脱落を抑制することのできる画像形成装置を提供することにある。
【課題を解決するための手段】
【０００８】
（１）本発明の画像形成装置は、感光ドラムと、現像ローラを有する現像カートリッジと、現像カートリッジが画像形成装置から着脱可能な離脱位置と、現像ローラが感光ドラムに接触する接触位置との間の、現像カートリッジの移動を案内する第１現像ガイドと、現像ローラが感光ドラムに向けて押圧されるように、現像カートリッジを押圧する現像押圧部材と、現像カートリッジが現像押圧部材に押圧されるとともに、前記現像ローラが感光ドラムに接触する接触位置と、接触位置よりも下方である離間位置であって、現像押圧部材による現像カートリッジへの押圧が解除されるとともに、現像ローラが感光ドラムから離間する離間位置との間の、現像カートリッジの移動を案内する第２現像ガイドとを備えている。
【０００９】
このような構成によれば、現像カートリッジは、第１現像ガイドによって、画像形成装置から着脱可能な離脱位置と、現像ローラが感光ドラムに接触する接触位置との間の移動を案内される。また、現像カートリッジは、第２現像ガイドによって、現像ローラが感光ドラムに接触する接触位置と、接触位置よりも下方である離間位置との間の移動を案内される。
【００１０】
そして、現像カートリッジは、現像押圧部材によって、現像ローラが感光ドラムに向かう方向、すなわち、上方に向かって押圧される。つまり、現像押圧部材を、現像カートリッジの接触位置と離間位置との間の移動を案内する第２現像ガイドにおける下方、すなわち現像カートリッジよりも下方に配置することができる。
【００１１】
そのため、現像カートリッジを画像形成装置に対して、現像押圧部材によって阻害されることなく装着することができるとともに、現像カートリッジよりも下方に配置される現像押圧部材によって、現像カートリッジが画像形成装置から脱落することを抑制することができる。
（２）また、第２現像ガイドは、画像形成装置に装着されている現像カートリッジの現像ローラの軸線と、感光ドラムの軸線とを結ぶ方向と平行な方向に延びていてもよい。
【００１２】
このような構成によれば、第２現像ガイドが画像形成装置に装着されている現像カートリッジの現像ローラの軸線と、感光ドラムの軸線とを結ぶ方向と平行な方向に延びているので、現像カートリッジを現像押圧部材によって押圧することによって、現像ローラを感光ドラムに対して、確実に接触させることができる。
（３）また、第１現像ガイドは、第１端から第２端まで上方に向かって延びる第１部分と、第２端から第３端まで下方に向かって延びる第２部分と、第３端から第４端まで下方に向かって、第２部分とは異なる方向かつ第２現像ガイドの延びる方向と同じ方向に延び、第２現像ガイドに接続される第３部分とを備えていてもよい。
【００１３】
このような構成によれば、現像カートリッジは、第１部分によって、上方に向かって案内された後、第２部分によって、下方に向かって案内され、第３部分によって、第２現像ガイドに案内される。
【００１４】
そのため、現像カートリッジを、方向転換させながら、画像形成装置に対して円滑に装着することができる。
（４）また、第２部分は、第１部分および第３部分よりも、感光ドラムに近接していてもよい。
【００１５】
このような構成によれば、第２現像ガイドに案内される現像カートリッジを、現像押圧部材によって第２部分に向かって押圧することにより、現像ローラと感光ドラムとを確実に接触させることができる。
（５）また、第１部分の延びる方向と、第２部分の延びる方向とは、７０〜１１０°の角度をなしていてもよい。
【００１６】
このような構成によれば、画像形成装置内において、現像カートリッジを、第１現像ガイドにおける第１部分、および、第２部分によって、７０〜１１０°の角度で方向転換させることができる。
（６）また、第２部分の延びる方向と、第３部分の延びる方向とは、７０〜１１０°の角度をなしていてもよい。
【００１７】
このような構成によれば、画像形成装置内において、現像カートリッジを、第１現像ガイドにおける第２部分、および、第３部分によって、７０〜１１０°の角度で方向転換させることができる。
（７）また、感光ドラムを露光する露光ユニットをさらに備え、第１現像ガイドおよび第２現像ガイドは、露光ユニットよりも下方に配置されていてもよい。
【００１８】
このような構成によれば、現像カートリッジを露光ユニットよりも下方を通過させるようにして、画像形成装置に装着させることができる。
【００１９】
そのため、露光ユニットの下方のスペースを利用することで、現像カートリッジが現像剤を収容するための大きさを十分に確保することができながら、感光ドラムに対して、現像ローラを下方から当接させることができ、現像ローラに担持される現像剤が落下して、感光ドラムに付着することを抑制することができる。
（８）また、現像カートリッジの通過を許容する第１開口を有する本体ケーシングと、
第１開口を閉鎖する第１閉鎖位置と、第１開口を開放する第１開放位置との間を移動可能な第１カバーとを備えていてもよい。
【００２０】
このような構成によれば、第１カバーを開閉させて、本体ケーシングの第１開口から、現像カートリッジを着脱させることができる。
（９）また、第１カバーの第１閉鎖位置から第１開放位置への移動に伴って、現像押圧部材を、現像押圧部材が現像カートリッジを押圧する押圧位置から、現像押圧部材の現像カートリッジへの押圧を解除する押圧解除位置へ移動させる押圧解除部材を備えていてもよい。
【００２１】
このような構成によれば、押圧解除部材は、第１カバーの第１閉鎖位置から第１開放位置への移動に伴って、現像押圧部材を押圧位置から押圧解除位置に移動させることができるので、作業工程の簡素化を図ることができる。
（１０）また、画像形成が可能な画像形成位置と、画像形成が不能な画像形成解除位置との間で感光ドラムの移動を案内するドラムガイドを備えていてもよい。
【００２２】
このような構成によれば、感光ドラムは、ドラムガイドによって案内されることにより、画像形成位置と画像形成解除位置との間を移動することができる。
【００２３】
そのため、感光ドラムを現像ローラから離間させてから、現像カートリッジを画像形成装置から離脱させることができるので、感光ドラムと摺擦されることによる現像ローラの劣化を抑制することができる。
（１１）また、第１カバーの第１閉鎖位置から第１開放位置への移動に伴って、感光ドラムを画像形成位置から画像形成解除位置に移動させるリンク部材を備えていてもよい。
【００２４】
このような構成によれば、リンク部材は、第１カバーの第１閉鎖位置から第１開放位置への移動に伴って、感光ドラムを画像形成位置から画像形成解除位置に移動させることができるので、作業工程の簡素化を図ることができる。
（１２）また、リンク部材は、感光ドラムと係合する係合位置と、係合位置よりも軸線方向外方に位置し、感光ドラムとの係合が解除される係合解除位置とに移動可能に構成されていてもよい。
【００２５】
このような構成によれば、リンク部材を係合位置に位置させることによって、リンク部材は、感光ドラムを画像形成位置と画像形成解除位置とに移動させることができ、リンク部材を係合解除位置に位置させることによって、感光ドラムを画像形成装置に対して着脱可能とすることができる。
（１３）また、第１カバーは、第１閉鎖位置と第１開放位置との間に位置する途中位置に移動可能であり、押圧解除部材は、第１カバーの第１閉鎖位置から途中位置への移動に伴って、現像押圧部材を押圧位置から押圧解除位置に移動させ、リンク部材は、第１カバーの途中位置から第１開放位置への移動に伴って、感光ドラムを画像形成位置から画像形成解除位置に移動させてもよい。
【００２６】
このような構成によれば、第１カバーを第１閉鎖位置から途中位置へ移動させることによって、押圧解除部材が現像押圧部材を押圧位置から押圧解除位置に移動させ、第１カバーを途中位置から第１開放位置に位置させることによって、リンク部材が感光ドラムを画像形成位置から画像形成解除位置に移動させる。
【００２７】
そのため、第１カバーを第１閉鎖位置から第１開放位置に移動させるという一つの動作によって、押圧解除部材、リンク部材の順に作用し、現像押圧部材と、感光ドラムとを確実に移動させることができる。
【００２８】
そのため、作業工程のより一層の簡素化を図ることができる。
（１４）また、感光ドラムを含むドラムカートリッジと、ドラムカートリッジの通過を許容する第２開口とを有する本体ケーシングと、第２開口を閉鎖する第２閉鎖位置と、第２開口を開放する第２開放位置との間を移動するように構成される第２カバーとを備えていてもよい。
【００２９】
このような構成によれば、ドラムカートリッジを、第１開口とは異なる第２開口を通過させて、本体ケーシングに対して着脱させることができる。
【００３０】
そのため、感光ドラムを現像ローラに対して確実に上方に配置することができ、現像ローラに担持される現像剤が落下して感光ドラムに付着することを確実に抑制することができる。
（１５）また、感光ドラムを露光する露光ユニットを備え、ドラムガイドは、感光ドラムの画像形成位置から離間位置に向かう方向に沿って、露光ユニットの上方を通過し、第２開口に連続するように延びていてもよい。
【００３１】
このような構成によれば、ドラムカートリッジを、露光ユニットの上方を通過させて、本体ケーシングに対して着脱させることができる。
（１６）また、リンク部材を、係合位置から係合解除位置に向かって付勢する付勢部材を備えていてもよい。
【００３２】
このような構成によれば、付勢部材によって付勢するという簡易な構成により、リンク部材を係合位置から係合解除位置に移動させることができる。
（１７）また、第２カバーは、第２開放位置に位置した状態において、付勢部材のリンク部材に対する付勢を許容し、第２閉鎖位置に位置した状態において、付勢部材のリンク部材に対する付勢を規制するカムを備えていてもよい。
【００３３】
このような構成によれば、第２カバーを第２閉鎖位置から第２開放位置に移動させ、カムを移動させることにより、付勢部材のリンク部材に対する付勢を許容して、リンク部材を係合位置から係合解除位置に位置させることができる。
【００３４】
そのため、第２カバーを第２開放位置に移動させるという動作により、リンク部材と係合していた感光ドラムから、リンク部材の係合を解除し、感光ドラムを本体ケーシングから離脱可能な状態とすることができる。
（１８）また、第１カバーが第１閉鎖位置に位置するときに、第２カバーを第２閉鎖位置に固定するロック位置と、第１カバーが第１閉鎖位置から第１開放位置に移動することにより、第２カバーの第２閉鎖位置への固定を解除するロック解除位置との間を移動するように構成されるロック機構を備えていてもよい。
【００３５】
このような構成によれば、第２カバーは、第１カバーが第１閉鎖位置から第１開放位置に移動することにより、第２開放位置から第２閉鎖位置へ移動することができる。
【００３６】
そのため、確実に現像押圧部材の押圧を解除した後に、ドラムカートリッジを交換することができる。
【発明の効果】
【００３７】
本発明の画像形成装置によれば、現像カートリッジの脱落を抑制することができる。
【図面の簡単な説明】
【００３８】
【図１】図１は、本発明の画像形成装置の一実施形態としてのプリンタの中央断面図である。
【図２】図２Ａは、図１に示す現像カートリッジの中央断面図である。図２Ｂは、図１に示す現像カートリッジの側面図である。図２Ｃは、図１に示す現像カートリッジの平面図である。
【図３】図３は、図１に示すプリンタにおけるドラムカートリッジおよび現像カートリッジの状態を説明するための説明図である。
【図４】図４は、図３のＡ−Ａ断面図であって、第１カバーが第１閉鎖位置に位置し、第２カバーが第２閉鎖位置に位置した状態を示す。
【図５】図５は、図３のＢ−Ｂ断面図であって、第１カバーが第１閉鎖位置に位置し、第２カバーが第２閉鎖位置に位置した状態を示す。
【図６】図６は、図３のＡ−Ａ断面図に相当する断面図であって、第１カバーが途中位置に位置し、第２カバーが第２閉鎖位置に位置した状態を示す。
【図７】図７は、図３のＢ−Ｂ断面図に相当する断面図であって、第１カバーが途中位置に位置し、第２カバーが第２閉鎖位置に位置した状態を示す。
【図８】図８は、図６および図７に示すプリンタにおけるドラムカートリッジおよび現像カートリッジの状態を説明するための説明図である。
【図９】図９は、図３のＡ−Ａ断面図に相当する断面図であって、第１カバーが第１開放位置に位置し、第２カバーが第２閉鎖位置に位置した状態を示す。
【図１０】図１０は、図３のＢ−Ｂ断面図に相当する断面図であって、第１カバーが第１開放位置に位置し、第２カバーが第２閉鎖位置に位置した状態を示す。
【図１１】図１１は、図９および図１０に示すプリンタにおけるドラムカートリッジおよび現像カートリッジの状態を説明するための説明図である。
【図１２】図１２は、図３のＡ−Ａ断面図に相当する断面図であって、第１カバーが第１開放位置に位置し、第２カバーが第２開放位置に位置した状態を示す。
【図１３】図１３は、図３のＢ−Ｂ断面図に相当する断面図であって、第１カバーが第１開放位置に位置し、第２カバーが第２開放位置に位置した状態を示す。
【図１４】図１４は、図１２および図１３に示すプリンタにおけるドラムカートリッジおよび現像カートリッジの状態を説明するための説明図である。
【発明を実施するための形態】
【００３９】
１．画像形成装置の全体構成
図１に示すように、画像形成装置の一例としてのプリンタ１は、電子写真方式のモノクロプリンタである。
【００４０】
なお、以下の説明において、方向について言及する場合には、プリンタ１を水平に載置した状態を上下の基準とする。すなわち、図１の紙面上方が上方であり、図１の紙面下方が下方である。また、図１の紙面右方が前方であり、図１の紙面左方が後方である。また、プリンタ１を前方から見たときを左右の基準とする。すなわち、図１の紙面手前が左方であり、紙面奥が右方である。なお、左右方向は、軸線方向の一例であり、上下方向は、鉛直方向の一例である。
【００４１】
プリンタ１は、用紙Ｐに画像を形成（印刷）するための画像形成部１Ａと、原稿の画像情報を読み取るための画像読取部１Ｂとを備えている。
【００４２】
画像形成部１Ａは、プリンタ１の下半分に配置されている。画像形成部１Ａは、本体ケーシング２と、ドラムカートリッジ４と、現像カートリッジ５と、露光ユニット６と、転写ローラ７と、定着ユニット８とを備えている。
【００４３】
本体ケーシング２は、略ボックス形状を有している。本体ケーシング２には、現像カートリッジ５の通過を許容するように、本体ケーシング２の内外を前後方向に貫通している第１開口１０と、ドラムカートリッジ４の通過を許容するように、本体ケーシング２の内外を上下方向に貫通している第２開口１２とが形成されている。本体ケーシング２は、第１カバー１１と、給紙トレイ１４と、第２カバー１５とを備えている。
【００４４】
第１開口１０は、本体ケーシング２の前端部に配置されている。
【００４５】
第２開口１２は、本体ケーシング２の上端部に配置されている。
【００４６】
第１カバー１１は、第１開口１０を閉鎖するように、本体ケーシング２の前端部に配置されている。第１カバー１１は、第１開口１０を閉鎖している状態において、上下方向に延びる略板状を有している。第１カバー１１は、その下端部に設けられる第１カバー軸１１Ａを支点として、第１開口１０を開放する第１開放位置（図９参照）と、第１開口１０を閉鎖する第１閉鎖位置（図１参照）との間を、途中位置（図６参照）を経由するようにして、揺動するように構成されている。
【００４７】
第１カバー１１は、手差しトレイ１６を備えている。
【００４８】
手差しトレイ１６は、その下端部を支点として第１カバー１１から傾倒し、用紙Ｐを載置可能な傾倒位置（図１破線参照）と、第１カバー１１に重なるように収納される収納位置（図１実線参照）との間を揺動するように構成されている。
【００４９】
給紙トレイ１４は、本体ケーシング２の底部に配置されている。給紙トレイ１４は、用紙Ｐを収容するように構成されている。
【００５０】
第２カバー１５は、本体ケーシング２の上端部に配置されている。第２カバー１５は、用紙Ｐが載置されるように構成されている。第２カバー１５は、第２開口１２を閉鎖するように、本体ケーシング２の上端部に配置されている。第２カバー１５は、第２開口１２を閉鎖している状態において、前後方向に延びる略板状を有している。第２カバー１５は、その後端部を支点として、第２開口１２を開放する第２開放位置（図１２参照）と、第２開口１２を閉鎖する第２閉鎖位置（図１参照）との間を揺動するように構成されている。
【００５１】
ドラムカートリッジ４は、本体ケーシング２の略中央に配置されている。ドラムカートリッジ４は、第２開口１２を介して、本体ケーシング２に対して装着または離脱するように構成されている。ドラムカートリッジ４は、感光ドラム１７と、スコロトロン型帯電器１８と、クリーニングローラ１９と備えている。
【００５２】
感光ドラム１７は、左右方向に延びる略円筒形状を有している。感光ドラム１７の中心軸線Ａ１は、感光ドラム１７の軸線の一例である。感光ドラム１７は、ドラムカートリッジ４の後下端部に配置されている。
【００５３】
スコロトロン型帯電器１８は、感光ドラム１７に対して前上方に間隔を空けて配置されている。
【００５４】
クリーニングローラ１９は、感光ドラム１７に対して上方に配置されている。クリーニングローラ１９の下端部は、感光ドラム１７の上端部と接触している。
【００５５】
現像カートリッジ５は、本体ケーシング２において、ドラムカートリッジ４の前下方に配置されている。現像カートリッジ５は、第１開口１０を介して、本体ケーシング２に対して装着または離脱するように構成されている。現像カートリッジ５は、現像ローラ２１と、供給ローラ２２と、搬送部材２３と、層厚規制ブレード２４と、トナー収容部２５とを備えている。
【００５６】
現像ローラ２１は、現像カートリッジ５の後端部に配置されている。現像ローラ２１の中心軸線Ａ２は、現像ローラ２１の軸線の一例である。現像ローラ２１の後上端部は、感光ドラム１７の前下端部と接触している。つまり、現像ローラ２１は、その中心軸線Ａ２が感光ドラム１７の中心軸線Ａ１よりも下方となるように、配置されている。
【００５７】
供給ローラ２２は、現像ローラ２１の前下方に配置されている。供給ローラ２２の上端部は、現像ローラ２１の下端部に接触している。
【００５８】
搬送部材２３は、供給ローラ２２の前下方に配置されている。搬送部材２３は、左右方向に延びるオーガスクリューである。搬送部材２３は、中心軸線Ａ３を中心に回転するように構成されている。
【００５９】
層厚規制ブレード２４は、現像ローラ２１の前方に配置されている。層厚規制ブレード２４は、現像ローラ２１の前端部に接触している。
【００６０】
トナー収容部２５は、搬送部材２３および層厚規制ブレード２４の前方に配置されている。トナー収容部２５は、前後方向に延びる略ボックス形状を有し、トナーを収容するように構成されている。トナー収容部２５は、４つのアジテータ２６を備えている。
【００６１】
４つのアジテータ２６は、前後方向に互いに間隔を空けて並列配置されている。アジテータ２６は、トナー収容部２５内に回転可能に支持されている。
【００６２】
露光ユニット６は、本体ケーシング２の前上端部において、感光ドラム１７の前方であって、現像カートリッジ５の前方部分の上方に配置されている。言い換えると、露光ユニット６は、前後方向に投影したときに、感光ドラム１７の一部とオーバーラップするように配置されている。露光ユニット６は、感光ドラム１７に向けて画像データに基づくレーザービームを出射するように構成されている。
【００６３】
転写ローラ７は、感光ドラム１７の後下方に配置されている。転写ローラ７の前上端部は、感光ドラム１７の後下端部と接触している。
【００６４】
定着ユニット８は、転写ローラ７、および、ドラムカートリッジ４の後上方に配置されている。定着ユニット８は、加熱ローラ３０と、加熱ローラ３０の後端部に圧接される加圧ローラ３１とを備えている。
【００６５】
画像読取部１Ｂは、第２カバー１５を上方から覆うように、画像形成部１Ａの上方に配置されている。すなわち、画像読取部１Ｂは、第２カバー１５の第２閉鎖位置から第２開放位置への移動方向の下流側において、本体ケーシング２に隣接している。画像読取部１Ｂは、その後端部を支点として揺動するように、画像形成部１Ａの後上端部に連結されている。
【００６６】
プリンタ１が画像形成動作を開始すると、スコロトロン型帯電器１８は、感光ドラム１７の表面を一様に帯電する。露光ユニット６は、感光ドラム１７の表面を露光する。これにより、画像データに基づく静電潜像が、感光ドラム１７の表面に形成される。
【００６７】
また、４つのアジテータ２６は、トナー収容部２５内のトナーを撹拌して、トナー収容部２５の後方へ送る。搬送部材２３は、トナー収容部２５の後方に送られたトナーを、左右方向に搬送する。供給ローラ２２は、搬送部材２３によって左右方向に搬送されたトナーを現像ローラ２１に供給する。このとき、トナーは、現像ローラ２１と供給ローラ２２との間で正極性に摩擦帯電され、現像ローラ２１に担持される。層厚規制ブレード２４は、現像ローラ２１に担持されたトナーの層厚を一定厚さに規制する。
【００６８】
そして、現像ローラ２１に担持されたトナーは、感光ドラム１７表面の静電潜像に供給される。これにより、トナー像が、感光ドラム１７の表面に担持される。
【００６９】
用紙Ｐは、給紙トレイ１４から、各種ローラの回転により、所定のタイミングで１枚ずつ、感光ドラム１７と転写ローラ７との間に給紙される。感光ドラム１７表面のトナー像は、用紙Ｐが感光ドラム１７と転写ローラ７との間を通過するときに、用紙Ｐに転写される。
【００７０】
その後、用紙Ｐは、加熱ローラ３０と加圧ローラ３１との間を通過するときに加熱および加圧される。これにより、用紙Ｐ上のトナー像は、用紙Ｐに熱定着される。そして、用紙Ｐは、本体ケーシング２外に排出され、第２閉鎖位置に位置する第２カバー１５に載置される。
２．現像カートリッジの詳細
現像カートリッジ５は、図２Ａに示すように、現像フレーム３５と、戻し羽根３６と、戻し部材３７とをさらに備えている。
【００７１】
現像フレーム３５は、図２Ａおよび図２Ｃに示すように、上記したトナー収容部２５と、現像部３９と、現像把持部４１と、１対の第１突起４２と、１対の第２突起４３とを備えている。
【００７２】
トナー収容部２５は、現像フレーム３５の前後方向略中央部分を構成している。トナー収容部２５は、左右方向に延び、左右方向両端部が閉鎖された略角筒形状を有している。トナー収容部２５は、図２Ａに示し、上記したように、４つのアジテータ２６を支持している。また、トナー収容部２５は、第１供給口４５と、戻し口４６とを有している。
【００７３】
第１供給口４５は、トナー収容部２５の後下端部に配置されている。第１供給口４５は、トナー収容部２５の後壁を、前後方向に貫通している。
【００７４】
戻し口４６は、トナー収容部２５の後端部における上下方向略中央に配置されている。戻し口４６は、トナー収容部２５の後壁を、前下方と後上方とを結ぶ方向に貫通している。
【００７５】
現像部３９は、トナー収容部２５の後方に連続し、現像フレーム３５の後端部を構成している。現像部３９は、左右方向両端部が閉鎖され、上方が開放された略半角筒形状を有している。現像部３９は、現像ローラ２１を、開放された上方部分から露出されるように支持している。また、現像部３９は、供給室４８と戻し室４９とを仕切る仕切り板４７を備えている。
【００７６】
仕切り板４７は、現像部３９の前壁における上下方向略中央から後方に向かって突出した後、下方に向かって屈曲し、現像部３９の底壁の前後方向略中央に連続する側断面略Ｌ字の略板状を有している。仕切り板４７は、現像部３９の左右方向全域にわたって延びている。仕切り板４７は、第２供給口５０を備えている。
【００７７】
第２供給口５０は、仕切り板４７の後端部に配置されている。第２供給口５０は、仕切り板４７の後壁を前後方向に貫通している。
【００７８】
供給室４８は、現像部３９の前下端部において、仕切り板４７と現像フレーム３５とによって囲まれた空間である。供給室４８は、その前端部が第１供給口４５を介して、トナー収容部２５と連通され、その後端部が第２供給口５０を介して、供給ローラ２２に臨んでいる。供給室４８は、その内部に搬送部材２３を収容している。
【００７９】
戻し室４９は、現像部３９の前上端部において、仕切り板４７、現像ローラ２１、供給ローラ２２、および、層厚規制ブレード２４によって囲まれた空間である。戻し室４９は、戻し口４６を介して、トナー収容部２５と連通されている。
【００８０】
現像把持部４１は、図２Ａおよび図２Ｃに示すように、後方に向かって開放される平面視略Ｕ字状を有しており、その左右方向両外方の後端部のそれぞれが、現像フレーム３５の前端部における左右方向両外方のそれぞれに連結されている。
【００８１】
１対の第１突起４２は、図２Ｂおよび図２Ｃに示すように、現像ローラ２１の中心軸線Ａ２を中心軸線とし、現像フレーム３５の左右両側壁から、左右方向外方に突出する略円筒形状を有している。第１突起４２は、現像ローラ２１の軸を回転可能に支持している。
【００８２】
１対の第２突起４３は、搬送部材２３の中心軸線Ａ３を中心軸線とし、現像フレーム３５の左右両側壁から、左右方向外方に突出する略円筒形状を有している。第２突起４３の直径は、第１突起４２の直径よりも小さい。また、図２Ｃに示すように、第２突起４３の左右方向外端部は、第１突起４２の左右方向外端部よりも左右方向内方に位置している。第２突起４３は、搬送部材２３の軸を回転可能に支持している。
【００８３】
戻し羽根３６は、戻し室４９において、層厚規制ブレード２４の前下方に配置されている。戻し羽根３６は、層厚規制ブレード２４によって、現像ローラ２１から掻き取られたトナーを前方に搬送するように構成されている。
【００８４】
戻し部材３７は、戻し室４９において、戻し羽根３６の前方に配置されている。戻し部材３７は、左右方向に延びるオーガスクリューである。戻し部材３７は、戻し羽根３６から搬送されたトナーを左右方向に搬送し、戻し口４６を介して、トナー収容部２５に戻すように構成されている。
【００８５】
なお、現像カートリッジ５は、本体ケーシング２から着脱可能な離脱位置（図９参照）と、現像ローラ２１が感光ドラム１７に接触する接触位置（図１および図４参照）と、現像ローラ２１が感光ドラム１７から離間する離間位置（図６参照）との間を移動可能である。
３．ドラムカートリッジの詳細
ドラムカートリッジ４は、図１に示すように、ドラムフレーム５１と、ドラム把持部５２とをさらに備えている。
【００８６】
ドラムフレーム５１は、下方が開放された略ボックス形状を有している。ドラムフレーム５１は、感光ドラム１７を支持している。
【００８７】
感光ドラム１７は、その下方半分が露出されるように支持されている。なお、感光ドラム１７は、図３に示すように、その端部１７Ａが図示しないドラムフレーム５１の両側壁を貫通し、左右方向外方に突出するように支持されている。
【００８８】
また、ドラムフレーム５１は、図１に示すように、スコロトロン型帯電器１８と、クリーニングローラ１９とを支持している。
【００８９】
ドラム把持部５２は、ドラムフレーム５１の前方に配置され、前後左右方向に延びている。ドラム把持部５２は、その後端部に設けられるドラム把持軸５２Ａにおいて、ドラムフレーム５１の前端部に揺動可能に支持されている。なお、ドラム把持部５２は、図示しないが、後方、すなわち、ドラム把持軸５２Ａ側が開放された平面視略Ｕ字状を有している。
【００９０】
なお、ドラムカートリッジ４は、感光ドラム１７が現像ローラ２１と接触し、画像形成が可能となる画像形成位置（図１および図４参照）と、感光ドラム１７が現像ローラ２１から離間し、画像形成が不能な画像形成解除位置（図９参照）との間を移動可能である。
４．本体ケーシングの詳細
本体ケーシング２は、図１および図３に示すように、１対の側壁６０と、現像押圧機構６２と、リンクユニット６４と、上記した第２カバー１５と、２つの付勢部材６５と、ロック手段の一例としてのロック機構６１とをさらに備えている。
（１）側壁
１対の側壁６０は、左右方向に間隔を空けて配置されている。なお、１対の側壁６０は左右対称であるため、右方の側壁６０について詳述し、左方の側壁６０については、その説明を省略する。
【００９１】
側壁６０は、図４および図５に示すように、第１カートリッジガイド７３と、第１カートリッジガイド７３の下方に配置される第２カートリッジガイド７４と、ドラムガイド６９と、押圧機構収容部７０と、リンク収容部７１と、２つの付勢部材保持穴８９と、１対のガイド突起９０とを備えている。
【００９２】
第１カートリッジガイド７３は、側壁６０の上下方向略中央に配置されている。第１カートリッジガイド７３は、図３に示すように、側壁６０の左右方向内面から、左右方向外方に向かって窪んでいる。第１カートリッジガイド７３は、図５に示すように、第１開口１０からわずかに上方に向かいながら後方に向かって延びた後、前下方に向かって屈曲する略Ｖ字形状を有している。具体的には、第１カートリッジガイド７３は、第１現像ガイド７８と、第２現像ガイド７７とを備えている。
【００９３】
第１現像ガイド７８は、第１開口１０の上下方向略中央から、わずかに上方に向かいながら後方に向かって延び、その後端部において下方に屈曲して、第２現像ガイド７７の後上端部に連続している。具体的には、第１現像ガイド７８は、第１部分７８Ａと、第２部分７８Ｂと、第３部分７８Ｃとから構成されている。
【００９４】
第１部分７８Ａは、第１開口１０の上下方向略中央から、わずかに上方に向かいながら後方に向かって延びている。
【００９５】
第２部分７８Ｂは、第１部分７８Ａの後上端部から、後下方に向かって延びている。具体的には、第１部分７８Ａの前下端部Ｏ１と第２部分７８Ｂの前上端部Ｐ１とを結ぶ直線と、第２部分７８Ｂの前上端部Ｐ１と第３部分７８Ｃの後上端部Ｑ１とを結ぶ直線と、第３部分７８Ｃの後上端部Ｑ１と第３部分７８Ｃの前下端部Ｒ１とを結ぶ直線と、第３部分７８Ｃの前下端部Ｒ１と第１部分７８Ａの前下端部Ｏ１とを結ぶ直線とからなる多角形において、第１部分７８Ａの前下端部Ｏ１と第２部分７８Ｂの前上端部Ｐ１とを結ぶ直線と、第２部分７８Ｂの前上端部Ｐ１と第３部分７８Ｃの後上端部Ｑ１とを結ぶ直線とがなす内角θ１は、７０°から１１０°である。
【００９６】
第３部分７８Ｃは、第２部分７８Ｂの後下端部から、前下方に向かって延び、第２現像ガイド７７の後上端部に連続している。具体的には、第１部分７８Ａの前下端部Ｏ１と第２部分７８Ｂの前上端部Ｐ１とを結ぶ直線と、第２部分７８Ｂの前上端部Ｐ１と第３部分７８Ｃの後上端部Ｑ１とを結ぶ直線と、第３部分７８Ｃの後上端部Ｑ１と第３部分７８Ｃの前下端部Ｒ１とを結ぶ直線と、第３部分７８Ｃの前下端部Ｒ１と第１部分７８Ａの前下端部Ｏ１とを結ぶ直線とからなる多角形において、第２部分７８Ｂの前上端部Ｐ１と第３部分７８Ｃの後上端部Ｑ１とを結ぶ直線と、第３部分７８Ｃの後上端部Ｑ１と第３部分７８Ｃの前下端部Ｒ１とを結ぶ直線とがなす内角θ２は、７０°から１１０°である。
【００９７】
なお、第１部分７８Ａの前下端部Ｏ１が第１端の一例であり、第２部分７８Ｂの前上端部Ｐ１が第２端の一例であり、第３部分７８Ｃの後上端部Ｑ１が第３端の一例であり、第３部分７８Ｃの前下端部Ｒ１が第４端の一例である。
【００９８】
第２現像ガイド７７は、第３部分７８Ｃの前下端部Ｒ１から前下方に向かって延びている。第２現像ガイド７７は、感光ドラム１７の中心軸線Ａ１と、現像ローラ２１の中心軸線Ａ２とを結ぶ方向と平行に延びている。第２現像ガイド７７は、本体ケーシング２に装着された状態の現像カートリッジ５の第１突起４２を支持している。
【００９９】
第２カートリッジガイド７４は、第１カートリッジガイド７３の下方に配置されている。第２カートリッジガイド７４は、図３に示すように、側壁６０の左右方向内面から左右方向外方に向かって窪んでいる。第２カートリッジガイド７４の窪み量は、第１カートリッジガイド７３の窪み量よりも小さい。言い換えると、第２カートリッジガイド７４の左右方向寸法は、第１カートリッジガイド７３の左右方向寸法よりも小さい。第２カートリッジガイド７４は、図５に示すように、第１開口１０から後方に向かって延びた後、前下方に向かって屈曲する略Ｖ字形状を有している。具体的には、第２カートリッジガイド７４は、第１現像ガイド８１と、第２現像ガイド８０とを備えている。
【０１００】
第１現像ガイド８１は、第１開口１０の上下方向略中央から、わずかに上方に向かいながら後方に向かって延び、その後端部において下方に屈曲して、第２現像ガイド８０の後上端部に連続している。具体的には、第１現像ガイド８１は、第１部分８１Ａと、第２部分８１Ｂと、第３部分８１Ｃとから構成されている。
【０１０１】
第１部分８１Ａは、第１開口１０の上下方向略中央から、わずかに上方に向かいながら後方に向かって延びている。
【０１０２】
第２部分８１Ｂは、第１部分８１Ａの後上端部から、後下方向に向かって延びている。具体的には、第１部分８１Ａの前下端部Ｏ２と第２部分８１Ｂの前上端部Ｐ２とを結ぶ直線と、第２部分８１Ｂの前上端部Ｐ２と第３部分８１Ｃの後上端部Ｑ２とを結ぶ直線と、第３部分８１Ｃの後上端部Ｑ２と第３部分８１Ｃの前下端部Ｒ２とを結ぶ直線と、第３部分８１Ｃの前下端部Ｒ２と第１部分８１Ａの前下端部Ｏ２とを結ぶ直線とからなる多角形において、第１部分８１Ａの前下端部Ｏ２と第２部分８１Ｂの前上端部Ｐ２とを結ぶ直線と、第２部分８１Ｂの前上端部Ｐ２と第３部分８１Ｃの後上端部Ｑ２とを結ぶ直線とがなす内角θ３は、７０°から１１０°である。
【０１０３】
第３部分８１Ｃは、第２部分８１Ｂの後下端部から、前下方に向かって延び、第２現像ガイド８０の後上端部に連続している。第３部分８１Ｃは、第２現像ガイド８０と同じ方向に延びている。具体的には、第１部分８１Ａの前下端部Ｏ２と第２部分８１Ｂの前上端部Ｐ２とを結ぶ直線と、第２部分８１Ｂの前上端部Ｐ２と第３部分８１Ｃの後上端部Ｑ２とを結ぶ直線と、第３部分８１Ｃの後上端部Ｑ２と第３部分８１Ｃの前下端部Ｒ２とを結ぶ直線と、第３部分８１Ｃの前下端部Ｒ２と第１部分８１Ａの前下端部Ｏ２とを結ぶ直線とからなる多角形において、第２部分８１Ｂの前上端部Ｐ２と第３部分８１Ｃの後上端部Ｑ２とを結ぶ直線と、第３部分８１Ｃの後上端部Ｑ２と第３部分８１Ｃの前下端部Ｒ２とを結ぶ直線とがなす内角θ４は、７０°から１１０°である。
【０１０４】
なお、第１部分８１Ａの前下端部Ｏ２が第１端の一例であり、第２部分８１Ｂの前上端部Ｐ２が第２端の一例であり、第３部分８１Ｃの後上端部Ｑ２が第３端の一例であり、第３部分８１Ｃの前下端部Ｒ２が第４端の一例である。
【０１０５】
第２現像ガイド８０は、第３部分８１Ｃの前下端部Ｒ２から前下方に向かって延びている。第２現像ガイド８０は、第１カートリッジガイド７３の第２現像ガイド７７の前下方に配置されている。第２現像ガイド８０は、第２現像ガイド７７と平行に延びている。
【０１０６】
ドラムガイド６９は、図４および図５に示すように、第１カートリッジガイド７３の上方に配置されている。ドラムガイド６９は、第１ドラムガイド８３と、第２ドラムガイド８４とを備えている。
【０１０７】
第１ドラムガイド８３は、図３に示すように、側壁６０の左右方向内面から、左右方向外方に向かって窪んでいる。第１ドラムガイド８３は、図４および図５に示すように、後下方と前上方とを結ぶ方向に延びている。具体的には、第１ドラムガイド８３は、第１カートリッジガイド７３の第２現像ガイド７７の後上方から、前上方に向かって延び、第２開口１２に連続されている。第１ドラムガイド８３は、前上方に向かうにつれて、その前後方向寸法が大きくなるように延びている。
【０１０８】
第２ドラムガイド８４は、図３に示すように、側壁６０の内部であって、第１ドラムガイド８３よりも左右方向外方に配置されている。第２ドラムガイド８４は、図４および図５に示すように、第２ドラムガイド８４を左右方向に投影したときに、第１ドラムガイド８３の後下端部と重なっている。第２ドラムガイド８４は、後下方と前上方とを結ぶ方向に延びている。第２ドラムガイド８４における前下方と後上方とを結ぶ方向の寸法、すなわち、第２ドラムガイド８４の幅は、第１ドラムガイド８３の後下端部における前下方と後上方とを結ぶ方向の寸法、すなわち、第１ドラムガイド８３の後下端部の幅よりも大きい。
【０１０９】
押圧機構収容部７０は、第２カートリッジガイド７４の下方に配置されている。押圧機構収容部７０は、図３に示すように、側壁６０の内部に配置されている。押圧機構収容部７０は、図３および図５に示すように、前後方向に延びる空間である。具体的には、押圧機構収容部７０は、押圧部材収容部８６と、解除部材収容部８７とを備えている。
【０１１０】
押圧部材収容部８６は、押圧機構収容部７０の後端部であって、第２カートリッジガイド７４の第２現像ガイド８０の前下方に配置されている。押圧部材収容部８６は、側面視略矩形の空間であり、図３に示すように、その左右方向内端部が、第２現像ガイド８０の前下端部の左右方向外端部と連通している。
【０１１１】
解除部材収容部８７は、図５に示すように、第１開口１０の下端部から後方に向かって延び、押圧部材収容部８６の上端部に連続するように延びている。
【０１１２】
リンク収容部７１は、図３に示すように、第１カートリッジガイド７３、第２カートリッジガイド７４、および、押圧機構収容部７０よりも左右方向外方における側壁６０の内部に配置されている。リンク収容部７１は、図示しないが、側壁６０における第１カートリッジガイド７３よりも上方の全域におよぶ空間である。
【０１１３】
２つの付勢部材保持穴８９は、図３に示すように、リンク収容部７１の左右方向内面において、前後方向に間隔を空けて配置されている。なお、側面視において、後方の付勢部材保持穴８９は、第２ドラムガイド８４の前上端部近傍に配置され、前方の付勢部材保持穴８９は、露光ユニット６の後端部近傍に配置されている。２つの付勢部材保持穴８９は、リンク収容部７１の左右方向内面から左右方向内方に向かって窪んでいる。
【０１１４】
１対のガイド突起９０は、図６に示すように、露光ユニット６の後端部近傍に配置されている。また、１対のガイド突起９０は、図４および図５に示すように、側面視において、ドラムガイド６９と、第１カートリッジガイド７３との間において、上下方向に間隔を空けて配置されている。１対のガイド突起９０は、リンク収容部７１の左右方向両面を連結し、前後方向に扁平な側面視略楕円柱形状を有している。なお、１対のガイド突起９０は、図示しないが、前方の付勢部材保持穴８９を上下方向から挟むように配置されている。
（２）現像押圧機構
現像押圧機構６２は、図３および図５に示すように、現像押圧部材１０８と、押圧ばね１０９と、押圧解除部材１１０とを備えている。
【０１１５】
現像押圧部材１０８は、押圧機構収容部７０の押圧部材収容部８６内に配置されている。現像押圧部材１０８は、上下方向に延びる略角柱形状を有している。現像押圧部材１０８は、その下端部である基端部１０８Ａを支点として、揺動可能に構成されている。現像押圧部材１０８は、現像ローラ２１が感光ドラム１７に接触するように、現像カートリッジ５を押圧する押圧位置（図５参照）と、現像カートリッジ５への押圧を解除する押圧解除位置（図７参照）とに移動可能である。
【０１１６】
押圧ばね１０９は、前後方向に延びる圧縮ばねである。押圧ばね１０９は、現像押圧部材１０８と押圧部材収容部８６の前壁との間に配置されることで、常には、現像押圧部材１０８を、基端部１０８Ａを支点として、左側面視反時計回りに付勢している。
【０１１７】
これにより、現像押圧部材１０８は、その遊端部１０８Ｂが、現像カートリッジ５の第２突起４３の前下端部に当接することで、現像カートリッジ５を押圧する押圧位置に位置している。
【０１１８】
押圧解除部材１１０は、押圧機構収容部７０の解除部材収容部８７内に配置されている。押圧解除部材１１０は、前後方向に延びる引張ばねである。押圧解除部材１１０の弾性率は、押圧ばね１０９の弾性率よりも高く設定されている。押圧解除部材１１０は、第１カバー１１が第１閉鎖位置に位置した状態において、自然長の状態で、第１カバー１１の下端部と、現像押圧部材１０８の遊端部１０８Ｂとに接続されている。
（３）リンクユニット
リンクユニット６４は、図３に示すように、リンク収容部７１内に配置されている。リンクユニット６４は、感光ドラム１７の端部１７Ａと係合する係合位置（図３参照）と、感光ドラム１７の端部１７Ａとの係合が解除される係合解除位置（図１４参照）とに移動可能である。リンクユニット６４は、図３および図５に示すように、リンク部材の一例としての第１アーム１１１と、第２アーム１１２とを備えている。
【０１１９】
第１アーム１１１は、ドラム保持部１１４と、アーム本体部１１３とを備えている。
【０１２０】
ドラム保持部１１４は、第１アーム１１１の後端部に配置されている。ドラム保持部１１４は、左右方向に延びる略円柱形状を有している。ドラム保持部１１４は、第２ドラムガイド８４に支持されている。ドラム保持部１１４は、保持凹部１１８と、通過部１１９を備えている。
【０１２１】
保持凹部１１８は、ドラム保持部１１４の左右方向内面から、左右方向外方に向かって側面視略円形に窪んでいる。保持凹部１１８の直径は、感光ドラム１７の端部１７Ａの直径よりもわずかに大きい。
【０１２２】
通過部１１９は、ドラム保持部１１４の前上方と後下方とを結ぶ方向における前上方半部において、ドラム保持部１１４の左右方向内面から左右方向外方にわずかに窪んでいる。
【０１２３】
アーム本体部１１３は、ドラム保持部１１４の前端部における左右方向外端部から連続して、前方に向かって延びる略角柱形状を有している。アーム本体部１１３は、１対のガイド突起９０の間に配置されている。これにより、第１アーム１１１は、アーム本体部１１３が１対のガイド突起９０の間を案内されるようにして移動可能である。アーム本体部１１３は、接続ボス１１５を備えている。
【０１２４】
接続ボス１１５は、アーム本体部１１３の前端部に配置されている。接続ボス１１５は、アーム本体部１１３の左右方向外面から左右方向外面に突出する略円柱形状を有している。
【０１２５】
第２アーム１１２は、図３に示すように、第１アーム１１１の前方であって、第１アーム１１１よりも左右方向外方に配置されている。第２アーム１１２は、前下方と後上方とを結ぶ方向に延びる略角柱形状を有している。第２アーム１１２は、図４および図５に示すように、その前下端部に設けられるアーム軸１１２Ａにおいて、第１カバー１１の上下方向略中央部分に揺動可能に支持されている。また、第２アーム１１２は、接続穴１２０を備えている。
【０１２６】
接続穴１２０は、第２アーム１１２の後上端部に配置されている。接続穴１２０は、第２アーム１１２を左右方向に貫通している。接続穴１２０は、前下方と後上方とを結ぶ方向に延びる略長穴形状を有している。接続穴１２０は、第１カバー１１が第１閉鎖位置に位置した状態において、その前下端部に第１アーム１１１の接続ボス１１５を受け入れている。
（４）付勢部材
２つの付勢部材６５は、図３に示すように、それぞれ、側壁６０の２つの付勢部材保持穴８９のそれぞれに収容されている。付勢部材６５は、左右方向に延びる圧縮ばねである。後方の付勢部材６５は、後方の付勢部材保持穴８９の左右方向内面と、リンクユニット６４の第１アーム１１１の後端部との間に配置され、前方の付勢部材６５は、前方の付勢部材保持穴８９の左右方向内面と、１対のガイド突起９０の間に位置する第１アーム１１１との間に配置される。
【０１２７】
これにより、２つの付勢部材６５は、常には、第１アーム１１１を左右方向外方に向けて付勢している。
（５）第２カバー
第２カバー１５は、図１に示すように、１対の側壁６０のそれぞれの間に配置されている。第２カバー１５は、上記したように、前後方向に延びる略板状を有している。第２カバー１５は、その後端部に設けられる第２カバー軸１５Ａにおいて、本体ケーシング２の後上端部に揺動可能に支持されている。また、第２カバー１５は、カム９４と、ストッパ９５とを備えている。
【０１２８】
カム９４は、第２カバー１５の後方部分における前後方向略中央、かつ、左右方向外端部に配置されている。カム９４は、第２カバー軸１５Ａを中心として、第２カバー１５の下面から下方へ向かって部分円環形状に延びている。カム９４は、図３に示すように、側壁６０のリンク収容部７１内であって、リンクユニット６４の第１アーム１１１よりも左右方向外方に配置されている。カム９４は、左右方向に投影したときに、後方の付勢部材保持穴８９に収容される付勢部材６５と重なっている。カム９４は、図３および図５に示すように、厚肉部９７と、傾斜部９８と、薄肉部９９とを備えている。
【０１２９】
厚肉部９７は、カム９４の上方略３／４を構成している。厚肉部９７の厚み、すなわち左右方向寸法は、カム９４において、最も大きい。
【０１３０】
傾斜部９８は、厚肉部９７の下端部から連続して、下方に向かって延びている。傾斜部９８は、下方に向かうにつれて、その左右方向寸法が小さくなるように、その左右方向内面が左右方向外方に向かって傾斜している。
【０１３１】
薄肉部９９は、傾斜部９８の下端部から連続して、下方に向かって延びている。薄肉部９９の厚み、すなわち左右方向寸法は、厚肉部９７の厚み、すなわち左右方向寸法よりも小さい。
【０１３２】
なお、カム９４の厚肉部９７は、第２カバー１５が第２閉鎖位置に位置した状態において、左右方向から見たときに、第１アーム１１１、および、後方の付勢部材６５と重なっており、左右方向外方から第１アーム１１１と当接している。
【０１３３】
これにより、第１アーム１１１は、付勢部材６５の付勢力に抗して、リンク収容部７１において、付勢部材６５の付勢力に抗して、左右方向内方に位置している。
【０１３４】
こうして、第１アーム１１１のドラム保持部１１４が、感光ドラム１７の端部１７Ａに対して係合している。
【０１３５】
ストッパ９５は、図１に示すように、第２カバー１５の前端部における左右方向略中央に配置されている。ストッパ９５は、第２カバー１５の下面から下方に向かって突出している。ストッパ９５は、前後方向に貫通する貫通穴を有している。
（６）ロック機構
ロック機構６１は、本体ケーシング２の前上端部、具体的には、第２カバー１５の前端部の下方、かつ、第１カバー１１の上端部の上方に配置されている。ロック機構６１は、第２カバー１５を第２閉鎖位置に固定するロック位置（図１参照）と、第２カバー１５の第２閉鎖位置への固定を解除するロック解除位置（図６参照）との間を移動可能である。ロック機構６１は、ロック部材１０２と、ロックばね１０３とを備えている。
【０１３６】
ロック部材１０２は、側面視略Ｖ字状を有しており、本体ケーシング２の前壁と接続されるロック軸１０２Ａを支点として、揺動可能である。ロック部材１０２は、図１に示すように、下方部分１０２Ｂと、上方部分１０２Ｃとを備えている。
【０１３７】
下方部分１０２Ｂは、ロック軸１０２Ａから後下方に向かって延びている。
【０１３８】
上方部分１０２Ｃは、ロック軸１０２Ａから上方に向かって延びている。なお、上方部分１０２Ｃの上端部は、前方に突出し、ストッパ９５の貫通穴と係合可能な鉤形状を有している。
【０１３９】
ロックばね１０３は、前後方向に延びる圧縮ばねである。ロックばね１０３は、上方部分１０２Ｃと、本体ケーシング２の前壁との間に配置されている。これにより、ロックばね１０３は、常には、ロック部材１０２を、ロック軸１０２Ａを支点として左側面視反時計回り方向に付勢している。
【０１４０】
そして、ロック機構６１は、第１カバー１１の上端部がロック部材１０２の下方部分１０２Ｂの下端部に対して当接する。これにより、ロック機構６１は、ロックばね１０３の付勢力に抗して、上方部分１０２Ｃがストッパ９５に係合するロック位置に位置する。
５．現像カートリッジおよびドラムカートリッジの着脱動作
以下に、現像カートリッジ５、および、ドラムカートリッジ４の着脱動作について説明する。
（１）現像カートリッジの着脱動作
本体ケーシング２に装着されている現像カートリッジ５を離脱させるには、図６および図７に示すように、第１カバー１１は、第１閉鎖位置から途中位置に向かって揺動する。
【０１４１】
すると、第１カバー１１は、第１カバー軸１１Ａを中心として、第１閉鎖位置から左側面視時計回りに揺動し、略４５度傾倒した途中位置に位置する。
【０１４２】
このとき、押圧解除部材１１０は、図７および図８に示すように、第１カバー１１が揺動するにつれて、その前端部が前方に引っ張られることにより、現像押圧部材１０８の遊端部１０８Ｂを前方へ引っ張る。
【０１４３】
すると、押圧解除部材１１０の弾性率は、押圧ばね１０９の弾性率よりも高く設定されているので、押圧解除部材１１０は、押圧ばね１０９の付勢力に抗して、現像押圧部材１０８を、基端部１０８Ａを支点として、左側面視時計回りに回動させる。
【０１４４】
これにより、現像押圧部材１０８は、第１カバー１１の揺動に伴って、押圧解除部材１１０に引っ張られ、その遊端部１０８Ｂが押圧部材収容部８６の前壁に当接することで、押圧位置から押圧解除位置に移動する。
【０１４５】
こうして、現像押圧部材１０８の遊端部１０８Ｂは、現像カートリッジ５の第２突起４３から前下方に間隔を空けるように離間する。
【０１４６】
これにより、現像カートリッジ５は、自重によって、第１突起４２が第２現像ガイド７７にガイドされ、第２突起４３が第２現像ガイド８０にガイドされるようにして、前下方に移動し、現像ローラ２１が感光ドラム１７から離間する離間位置に移動する。
【０１４７】
また、リンクユニット６４では、第２アーム１１２は、第１カバー１１が揺動するにつれて、その前下端部が前下方に引っ張られる。このとき、第１アーム１１１は移動せず、第２アーム１１２のみが前下方に移動する。これにより、第２アーム１１２の接続穴１２０は、第１アーム１１１の接続ボス１１５を、その後上方部分に受け入れた状態となる。
【０１４８】
次いで、第１カバー１１は、図９および図１０に示すように、途中位置から第１開放位置へ向けて移動する。
【０１４９】
すると、第１カバー１１は、第１カバー軸１１Ａを中心として、途中位置から左側面視時計回りに揺動し、さらに略９０度傾倒した第１開放位置に位置する。
【０１５０】
このとき、押圧解除部材１１０は、図１０および図１１に示すように、現像押圧部材１０８の遊端部１０８Ｂが、押圧部材収容部８６の前壁に当接していることにより、その付勢力に抗して、伸張する。
【０１５１】
また、リンクユニット６４の第２アーム１１２は、第１カバー１１が揺動するにつれて、前下端部が前下方にさらに引っ張られることにより、さらに前下方に移動する。
【０１５２】
すると、第２アーム１１２は、その接続穴１２０の後上端部が第１アーム１１１の接続ボス１１５と当接することにより、第１アーム１１１を前方に引っ張るように移動させる。
【０１５３】
このとき、第１アーム１１１は、１対のガイド突起９０の間を通過するようにして、前方に引っ張られる。つまり、１対のガイド突起９０を支点として、左側面視略時計周りに揺動しながら、前方に移動する。
【０１５４】
これにより、第１アーム１１１のドラム保持部１１４は、感光ドラム１７が第２ドラムガイド８４に沿って、前下方から前上方に向かうように、ドラムカートリッジ４を画像形成解除位置に移動させる。
【０１５５】
こうして、感光ドラム１７は、第１カートリッジガイド７３を通る現像ローラ２１の軌跡上から退避する。
【０１５６】
なお、２つの付勢部材６５は、第１アーム１１１が移動した場合であっても、第１アーム１１１の左右方向内面に対して当接している。
【０１５７】
次に、現像カートリッジ５の離脱について説明する。
【０１５８】
現像カートリッジ５は、第１突起４２において、第１カートリッジガイド７３の第２現像ガイド７７、および、第１現像ガイド７８の第３部分７８Ｃにガイドされ、第２突起４３において、第２カートリッジガイド７４の第２現像ガイド８０、および、第１現像ガイド８１の第３部分８１Ｃにガイドされて、後上方へ移動する。
【０１５９】
このとき、現像カートリッジ５の後端部は、画像形成位置におけるドラムカートリッジ４が配置されていた空間に配置される。
【０１６０】
すると、現像カートリッジ５は、第１突起４２において、第１カートリッジガイド７３の第１現像ガイド７８の第２部分７８Ｂにガイドされ、第２突起４３において、第２カートリッジガイド７４の第１現像ガイド８１の第２部分８１Ｂにガイドされて、前上方へ移動する。
【０１６１】
そして、現像カートリッジ５は、第１突起４２において、第１カートリッジガイド７３の第１現像ガイド７８の第１部分７８Ａにガイドされ、第２突起４３において、第２カートリッジガイド７４の第１現像ガイド８１の第１部分８１Ａにガイドされて、前下方へ移動し、露光ユニット６の下方を通過して、第１開口１０から離脱される。これにより、現像カートリッジ５は、離脱位置に位置する。
【０１６２】
以上により、本体ケーシング２からの現像カートリッジ５の離脱作業が完了する。
【０１６３】
また、本体ケーシング２に現像カートリッジ５を装着するには、上記した離脱作業とは逆の手順で、本体ケーシング２および現像カートリッジ５を操作する。
【０１６４】
詳しくは、現像カートリッジ５は、現像把持部４１を把持され、第１突起４２が第１カートリッジガイド７３の第１現像ガイド７８の第１部分７８Ａに嵌まり、第２突起４３が第２カートリッジガイド７４の第１現像ガイド８１の第１部分８１Ａに嵌まるように、第１開口１０内に挿入される。
【０１６５】
次いで、現像カートリッジ５は、後上方へ向かって押し込まれる。
【０１６６】
これにより、現像カートリッジ５は、第１突起４２において、第１カートリッジガイド７３の第１現像ガイド７８の第１部分７８Ａにガイドされ、第２突起４３において、第２カートリッジガイド７４の第１現像ガイド８１の第１部分８１Ａにガイドされて、後上方へ移動する。
【０１６７】
次いで、現像カートリッジ５は、さらに後方へ向かって押し込まれる。
【０１６８】
すると、現像カートリッジ５は、第１突起４２において、第１カートリッジガイド７３の第１現像ガイド７８の第２部分７８Ｂにガイドされ、第２突起４３において、第２カートリッジガイド７４の第１現像ガイド８１の第２部分８１Ｂにガイドされて、後下方へ移動する。
【０１６９】
これにより、現像カートリッジ５は、第１突起４２が第１現像ガイド７８の後端部に位置し、第２突起４３が第２現像ガイド８０の後端部に位置し、それ以上の現像カートリッジ５の後方への移動が規制される。
【０１７０】
次いで、現像カートリッジ５は、図６および図７に示すように、その自重により、第１突起４２において、第１カートリッジガイド７３の第１現像ガイド７８の第３部分７８Ｃ、および、第２現像ガイド７７にガイドされ、第２突起４３において、第２カートリッジガイド７４の第１現像ガイド８１の第３部分８１Ｃ、および、第２現像ガイド８０にガイドされて、前下方に移動する。
【０１７１】
こうして、第１突起４２は、第２現像ガイド７７の下端部に保持され、第２突起４３は、第２現像ガイド８０の下端部に保持される。
【０１７２】
次いで、第１カバー１１は、第１開放位置から第１閉鎖位置へ向けて移動する。すると、押圧解除部材１１０は、その揺動途中において、押圧解除部材１１０にかかる張力が解除され、自然長となる。
【０１７３】
次いで、第１カバー１１は、図４および図５に示すように、第１閉鎖位置に向けてさらに移動する。
【０１７４】
これにより、現像押圧部材１０８に対する押圧解除部材１１０による引っ張りが解除される。すると、現像押圧部材１０８は、押圧ばね１０９の付勢力により、基端部１０８Ａを支点として、左側面視反時計回りに回動する。
【０１７５】
こうして、現像押圧部材１０８は、第２突起４３に当接し、第２突起４３を後上方に押圧する。すると、現像カートリッジ５は、後上方に押圧され、現像ローラ２１が感光ドラム１７に対して当接される。このとき、現像押圧部材１０８は、押圧位置に位置している。
【０１７６】
また、リンクユニット６４の第２アーム１１２は、第１カバー１１が揺動するにつれて、前下端部が後上方に押し上げられることにより、後上方に移動する。
【０１７７】
これにより、ドラムカートリッジ４は、ドラム保持部１１４によって、端部１７Ａを支持するドラム保持部１１４が第２ドラムガイド８４に案内されるようにして、後下方に移動する。
【０１７８】
以上により、本体ケーシング２への現像カートリッジ５の装着作業が完了する。
（２）ドラムカートリッジの着脱動作
本体ケーシング２に装着されているドラムカートリッジ４を離脱させるには、図９および図１０に示し、上記したように、第１カバー１１を第１開放位置に移動させ、ドラムカートリッジ４を画像形成解除位置に位置させる。
【０１７９】
このとき、ロック機構６１では、図９に示すように、その下方部分１０２Ｂに対する第１カバー１１の当接が解除され、ロックばね１０３が、その付勢力によって、ロック部材１０２の上方部分１０２Ｃを付勢する。
【０１８０】
すると、ロック部材１０２は、ロック軸１０２Ａを支点として、左側面視反時計回りに揺動する。これにより、上方部分１０２Ｃのストッパ９５に対する係合が解除され、ロック機構６１は、ロック解除位置に位置される。
【０１８１】
次いで、第２カバー１５は、図１２および図１３に示すように、第２閉鎖位置から上方へ向けて、第２開放位置に移動する。
【０１８２】
このとき、第２カバー１５は、第２カバー軸１５Ａを中心として、左側面視反時計回りに揺動する。すると、リンクユニット６４の第１アーム１１１は、左右方向に投影したときに、第２カバー１５のカム９４の厚肉部９７から、傾斜部９８を経て、薄肉部９９と重なる。
【０１８３】
すると、第１アーム１１１は、図１４に示すように、２つの付勢部材６５の付勢力により、左右方向外方に移動する。これにより、リンクユニット６４は、係合解除位置に位置し、第１アーム１１１の保持凹部１１８の、感光ドラム１７の端部１７Ａに対する係合が解除される。
【０１８４】
これにより、感光ドラム１７の端部１７Ａは、通過部１１９と向かい合う。
【０１８５】
次いで、ドラムカートリッジ４は、前上方に移動する。
【０１８６】
すると、ドラムカートリッジ４は、感光ドラム１７の端部１７Ａが第１ドラムガイド８３に案内されるとともに、通過部１１９を通過して、前上方へ移動する。
【０１８７】
そして、ドラムカートリッジ４は、感光ドラム１７の端部１７Ａが第１ドラムガイド８３にガイドされて、前上方へ移動し、露光ユニット６の上方を通過して、第２開口１２から離脱される。
【０１８８】
以上により、本体ケーシング２からのドラムカートリッジ４の離脱作業が完了する。
【０１８９】
また、本体ケーシング２にドラムカートリッジ４を装着するには、上記した離脱作業とは逆の手順で、本体ケーシング２およびドラムカートリッジ４を操作する。
【０１９０】
詳しくは、ドラムカートリッジ４は、感光ドラム１７の端部１７Ａが第１ドラムガイド８３に嵌まるように、第２開口１２内に挿入される。
【０１９１】
次いで、ドラムカートリッジ４は、下方へ向かって移動する。
【０１９２】
これにより、ドラムカートリッジ４は、感光ドラム１７の端部１７Ａが第１ドラムガイド８３にガイドされて、よって後下方へ移動する。
【０１９３】
すると、感光ドラム１７の端部１７Ａは、図１４に示すように、左右方向に投影したときに、通過部１１９を通過し、ドラム保持部１１４の保持凹部１１８と重なる。
【０１９４】
次いで、第２カバー１５は、図９および図１０に示すように、第２開放位置から第２閉鎖位置へ向けて移動する。
【０１９５】
すると、リンクユニット６４の第１アーム１１１は、左右方向に投影したときに、第２カバー１５のカム９４の薄肉部９９から、傾斜部９８を経て、厚肉部９７と重なる。
【０１９６】
すると、第１アーム１１１は、図１１に示すように、カム９４の厚肉部９７によって、２つの付勢部材６５の付勢力に抗して、左右方向内方に移動する。これにより、リンクユニット６４は、係合位置に位置し、第１アーム１１１の保持凹部１１８が、感光ドラム１７の端部１７Ａに対して係合する。
【０１９７】
そして、ドラムカートリッジ４は、図４および図５に示すように、第１カバー１１が第１閉鎖位置に移動すると、画像形成位置に位置する。
【０１９８】
このとき、ロック機構６１では、図１に示すように、下方部分１０２Ｂに対して、第１カバー１１が当接され、ロックばね１０３の付勢力に抗して、ロック部材１０２が左側面時計回りに揺動する。これにより、上方部分１０２Ｃがストッパ９５に対して係合され、ロック機構６１は、ロック位置に位置される。
【０１９９】
以上により、本体ケーシング２へのドラムカートリッジ４の装着作業が完了する。
６．作用効果
（１）このプリンタ１によれば、現像カートリッジ５は、図４および図９に示すように、第１現像ガイド７８、および、第１現像ガイド８１によって、本体ケーシング２から着脱可能な離脱位置と、現像ローラ２１が感光ドラム１７に接触する接触位置との間の移動を案内される。また、現像カートリッジ５は、図４および図６に示すように、第２現像ガイド７７、および、第２現像ガイド８０によって、現像ローラ２１が感光ドラム１７に接触する接触位置と、接触位置よりも下方である離間位置との間の移動を案内される。
【０２００】
そして、現像カートリッジ５は、現像押圧部材１０８によって、現像ローラ２１が感光ドラム１７に向かう方向、すなわち、後上方に向かって押圧される。つまり、現像押圧部材１０８を、現像カートリッジ５の接触位置と離間位置との間の移動を案内する第２現像ガイド７７、および、第２現像ガイド８０における前下方、すなわち現像カートリッジ５よりも前下に配置することができる。
【０２０１】
そのため、現像カートリッジ５を本体ケーシング２に対して、現像押圧部材１０８によって阻害されることなく装着することができるとともに、現像カートリッジ５よりも前下方に配置される現像押圧部材１０８によって、現像カートリッジ５が本体ケーシング２から脱落することを抑制することができる。
（２）また、このプリンタ１によれば、図４および図５に示すように、第２現像ガイド７７がプリンタ１に装着されている現像カートリッジ５の現像ローラ２１の中心軸線Ａ１と、感光ドラム１７の中心軸線Ａ２とを結ぶ方向と平行な後方に延びているので、現像カートリッジ５の第２突起４３を現像押圧部材１０８によって押圧し、第１突起４２を第２現像ガイド７７にガイドさせることによって、現像ローラ２１を感光ドラム１７に対して、確実に接触させることができる。
（３）また、このプリンタ１によれば、図９に示すように、現像カートリッジ５は、第１部分７８Ａによって、後上方に向かって案内された後、第２部分７８Ｂによって、後下方に向かって案内され、第３部分７８Ｃによって、第２現像ガイド７７に案内される。
【０２０２】
そのため、現像カートリッジ５を、方向転換させながら、本体ケーシング２に対して円滑に装着することができる。
（４）また、このプリンタ１によれば、図４に示すように、第２部分７８Ｂが、第１部分７８Ａおよび第３部分７８Ｃよりも、感光ドラム１７に近接しているので、第２現像ガイド７７に案内される現像カートリッジ５を、現像押圧部材１０８によって、第２部分７８Ｂに向かって押圧することにより、現像ローラ２１と感光ドラム１７とを確実に接触させることができる。
（５）また、このプリンタ１によれば、図４および図５に示すように、本体ケーシング２内において、現像カートリッジ５を、第１現像ガイド７８における第１部分７８Ａ、および、第２部分７８Ｂによって、７０〜１１０°の角度で方向転換させることができる。
（６）また、このプリンタ１によれば、図４および図５に示すように、本体ケーシング２内において、現像カートリッジ５を、第１現像ガイド７８における第２部分７８Ｂ、および、第３部分７８Ｃによって、７０〜１１０°の角度で方向転換させることができる。
（７）また、このプリンタ１によれば、図９に示すように、露光ユニット６よりも下方に配置される第２現像ガイド７７および第１現像ガイド７８を利用することで、現像カートリッジ５を露光ユニット６よりも下方を通過させるようにして、本体ケーシング２に装着させることができる。
【０２０３】
そのため、露光ユニット６の下方のスペースを利用することで、現像カートリッジ５がトナーを収容するための大きさを十分に確保することができながら、感光ドラム１７に対して、現像ローラ２１を前下方から当接させることができ、現像ローラ２１に担持されるトナーが落下して、感光ドラム１７に付着することを抑制することができる。
（８）また、このプリンタ１によれば、図４および図９に示すように、第１カバー１１を開閉させて、本体ケーシング２の第１開口１０から、現像カートリッジ５を着脱させることができる。
（９）また、このプリンタ１によれば、図５および図７に示すように、押圧解除部材１１０は、第１カバー１１の第１閉鎖位置から第１開放位置への移動に伴って、現像押圧部材１０８の遊端部１０８Ｂを前方に引っ張り、押圧ばね１０９の付勢力に抗して、現像押圧部材１０８を押圧位置から押圧解除位置に移動させることができる。
【０２０４】
そのため、作業工程の簡素化を図ることができる。
（１０）また、このプリンタ１によれば、図６および図９に示すように、感光ドラム１７を支持するドラムカートリッジ４は、ドラムガイド６９によって案内されることにより、画像形成位置と画像形成解除位置との間を移動することができる。
【０２０５】
そのため、感光ドラム１７を現像ローラ２１から離間させてから、現像カートリッジ５を本体ケーシング２から離脱させることができるので、感光ドラム１７と摺擦されることによる現像ローラ２１の劣化を抑制することができる。
（１１）また、このプリンタ１によれば、図９および図１０に示すように、リンクユニット６４は、第１カバー１１の第１閉鎖位置から第１開放位置への移動に伴って、その第１アーム１１１のドラム保持部１１４に感光ドラム１７の端部１７Ａを保持することによって、感光ドラム１７を画像形成位置から画像形成解除位置に移動させることができる。
【０２０６】
そのため、作業工程の簡素化を図ることができる。
（１２）また、このプリンタ１によれば、図１１に示すように、リンクユニット６４を、その第１アーム１１１のドラム保持部１１４と、感光ドラム１７の端部１７Ａとが係合する係合位置に位置させることによって、リンクユニット６４は、感光ドラム１７を画像形成位置と画像形成解除位置とに移動させることができる。
【０２０７】
また、図１４に示すように、リンクユニット６４を、その第１アーム１１１のドラム保持部１１４と、感光ドラム１７の端部１７Ａとの係合が解除される係合解除位置に位置させることによって、感光ドラム１７を支持するドラムカートリッジ４は、第２開口１２を介して、本体ケーシング２に対して着脱可能とすることができる。
（１３）また、このプリンタ１によれば、図５および図７に示すように、第１カバー１１を第１閉鎖位置から途中位置へ移動させることによって、押圧解除部材１１０が現像押圧部材１０８を押圧位置から押圧解除位置に移動させ、図７および図１０に示すように、第１カバー１１を途中位置から第１開放位置に位置させることによって、リンクユニット６４が感光ドラム１７を画像形成位置から画像形成解除位置に移動させる。
【０２０８】
そのため、第１カバー１１を第１閉鎖位置から第１開放位置に移動させるという一つの動作によって、押圧解除部材１１０、リンクユニット６４の順に作用し、現像押圧部材１０８と、感光ドラム１７とを互いに干渉することなく、確実に移動させることができる。
【０２０９】
そのため、作業工程のより一層の簡素化を図ることができる。
（１４）また、このプリンタ１によれば、図１２に示すように、ドラムカートリッジ４を、第１開口１０とは異なる第２開口１２を通過させて、本体ケーシング２に対して着脱させることができる。
【０２１０】
そのため、感光ドラム１７を現像ローラ２１に対して確実に上方に配置することができるので、現像ローラ２１に担持されるトナーが落下して感光ドラム１７に付着することを確実に抑制することができる。
【０２１１】
また、現像カートリッジ５と、ドラムカートリッジ４とをそれぞれ独立して交換することができる。
（１５）また、このプリンタ１によれば、図１２に示すように、ドラムカートリッジ４を、露光ユニット６の上方を通過させて、本体ケーシング２に対して着脱させることができる。
（１６）また、このプリンタ１によれば、図１１および図１４に示すように、付勢部材６５によって付勢するという簡易な構成により、リンクユニット６４を係合位置から係合解除位置に移動させることができる。
（１７）また、このプリンタ１によれば、図１３および図１４に示すように、第２カバー１５を第２閉鎖位置から第２開放位置に移動させ、カム９４を移動させることにより、付勢部材６５の第１アーム１１１に対する付勢を許容して、リンクユニット６４を係合位置から係合解除位置に位置させることができる。
【０２１２】
そのため、第２カバー１５を第２開放位置に移動させるという動作により、リンクユニット６４と係合していた感光ドラム１７から、リンクユニット６４の係合を解除し、感光ドラム１７を本体ケーシング２から離脱可能な状態とすることができる。
（１８）また、このプリンタ１によれば、図１に示すように、第２カバー１５は、第１カバー１１が第１閉鎖位置に位置している場合には、ロック機構６１によって、常には、第２閉鎖位置に固定されている。
【０２１３】
そのため、現像ローラ２１を感光ドラム１７に対して退避位置に位置した状態でないと、ドラムカートリッジ４の交換をすることができないようにすることができる。
７．その他の実施形態
上記したプリンタ１は、本発明の画像形成装置の一実施形態であり、本発明は上記した実施形態に限定されない。
【０２１４】
上記した実施形態では、露光ユニットの一例として、レーザ光によって露光する露光ユニット６を用いたが、露光ユニット６に代えて、ＬＥＤを用いるＬＥＤユニットを適用することもできる。
【０２１５】
このような実施形態においても、上記した実施形態と同様の作用効果を得ることができる。
【符号の説明】
【０２１６】
１      プリンタ
２      本体ケーシング
４      ドラムカートリッジ
５      現像カートリッジ
６      露光ユニット
１０    第１開口
１１    第１カバー
１２    第２開口
１５    第２カバー
１７    感光ドラム
２１    現像ローラ
６１    ロック機構
６５    付勢部材
６９    ドラムガイド
７７    第２現像ガイド
７８    第１現像ガイド
７８Ａ  第１部分
７８Ｂ  第２部分
７８Ｃ  第３部分
８０    第２現像ガイド
８１    第１現像ガイド
８１Ａ  第１部分
８１Ｂ  第２部分
８１Ｃ  第３部分
９４    カム
１０８  現像押圧部材
１１０  押圧解除部材
１１１  第１アーム
Ａ１    中心軸線
Ａ２    中心軸線
【図１】
0006414474.tif 000002
【図２】
0006414474.tif 000003
【図３】
0006414474.tif 000004
【図４】
0006414474.tif 000005
【図５】
0006414474.tif 000006
【図６】
0006414474.tif 000007
【図７】
0006414474.tif 000008
【図８】
0006414474.tif 000009
【図９】
0006414474.tif 000010
【図１０】
0006414474.tif 000011
【図１１】
0006414474.tif 000012
【図１２】
0006414474.tif 000013
【図１３】
0006414474.tif 000014
【図１４】
0006414474.tif 000015